(57)【要約】【課題】固定対象物が異なる場合でも対応可能で、遮光板の長さを調整することができるカメラカバーを提供する。【解決手段】カメラ本体２を収納するカバー本体３を備え、カバー本体３が、カメラ本体２のレンズ４の側とは反対側でカメラ本体２と対向する後カバー部１２と、カメラ本体２のレンズ４の側を覆う前カバー部１１とを有するカメラカバー１であって、カバー本体３には、カメラ本体２とは別に、カメラ本体２のレンズ４の側に延びる遮光板５が設けられている。遮光板５は、後カバー部１２側からカメラ本体２のレンズ４側に延びる本体部１５と、本体部１５に設けられ前カバー部１１に当接する係止部と、本体部１５の後カバー部１２側に設けられた切断可能な連結部５３とを備えるから、連結部５３を切断することにより前後方向において遮光板５の長さ調整が可能である。【選択図】図１
2019021907.tif 000002
【特許請求の範囲】
【請求項１】
カメラ本体を収納するカバー本体を備え、
前記カバー本体が、前記カメラ本体のレンズ側とは反対側で前記カメラ本体と対向する後カバー部と、前記カメラ本体のレンズ側を覆う前カバー部とを有し、
前記カバー本体には、前記カメラ本体とは別に、前記カメラ本体のレンズ側に延びる遮光板が設けられ、
前記遮光板は、前記後カバー部側から前記カメラ本体のレンズ側に延びる本体部と、前記本体部に設けられ前記前カバー部に当接する係止部と、前記本体部の前記後カバー部側に設けられた切断可能な長さ調整用切断部とを備えることを特徴とするカメラカバー。
【請求項２】
前記本体部の端部が前記後カバー部に係合することを特徴とする請求項１記載のカメラカバー。
【請求項３】
前記本体部が前記前カバー部に形成された孔部を貫通することを特徴とする請求項１記載のカメラカバー。
【請求項４】
前記本体部が前記前カバー部に形成された孔部を貫通することを特徴とする請求項２記載のカメラカバー。
【請求項５】
前記カバー本体に取付け用ブラケットが取り付けられており、
前記取付け用ブラケットの内側と前記カバー本体の外側の一方には、周方向に複数の係止凹部が連続して形成されており、
前記取付け用ブラケットの内側と前記カバー本体の外側の他方には、係止凸部を設け、
前記係止凸部が前記係止凹部に係合することにより前記取付け用ブラケットに対して前記カバー本体の角度を調整可能に構成したことを特徴とする請求項１〜４のいずれか１項に記載のカメラカバー。
【発明の詳細な説明】
【技術分野】
【０００１】
本発明は、遮光板を備えたカメラカバーに関する。
【背景技術】
【０００２】
従来、この種のものとして、レンズおよび撮像素子を備えた車載カメラであって、前記レンズおよび撮像素子と、これらレンズ、撮像素子を収納する本体ケースとを有するカメラ本体部と、カメラの視野と重複しないように、前記カメラ本体部を覆う上板部，側板部及び下板部を設けたブラケットとを備え、このブラケットの前記上板部は、前記本体ケースにおいて前記レンズが装着されているレンズ装着面よりも突き出しており、かつ、前記側板部よりも前記レンズ装着面に対して突き出した庇部を備えた車載カメラ（例えば特許文献１）が提案されている。【０００３】
また、上記車載カメラは、車両のフロントガラスの車室内面に固定されるようになっており、前記ブラケットをフロントガラスの車室内面に連結するアームを備えている。【０００４】
上記車載カメラでは、アームをフロントガラスに接着することにより、車載カメラをフロントガラスなどの内側に取り付けることができる。また、庇部を備えたブラケットにより、上方，側方や下方からカメラ本体部に向かう太陽光が、カメラ本体部に当たることを抑制できる。【０００５】
しかし、上記車載カメラでは、庇部などの寸法を調整することができないため、車種や取付場所が変わると、不要な太陽光がレンズに入ったり不要な部分が撮像されたりする虞がある。【０００６】
また、上記車載カメラの下板部は光の一部を遮ることはできるが、カメラ本体部と固定対象物であるフロントガラスやリアウインドウなどとの角度によっては、固定対象物の車内側内面で反射した光が、カメラ本体の画角内に入り込み、例えば、固定対象物の下方に位置するダッシュボードや後部に搭載した荷物の画像が写り込んでしまうという問題がある。【０００７】
そこで、仮に、従来のブラケットにより写り込みを防止しようとしても、車種や前後のガラスでは固定条件が異なるため、専用のブラケットを用意する必要があり、コストが掛かるという問題がある。
【先行技術文献】
【特許文献】
【０００８】
【特許文献１】特許第５４８８２０２号公報
【発明の概要】
【発明が解決しようとする課題】
【０００９】
そこで、本発明は上記した問題点に鑑み、固定対象物が異なる場合でも対応可能で、遮光板の長さを調整することができるカメラカバーを提供することを目的とする。
【課題を解決するための手段】
【００１０】
上記目的を達成するために、請求項１に係る発明は、カメラ本体を収納するカバー本体を備え、前記カバー本体が、前記カメラ本体のレンズ側とは反対側で前記カメラ本体と対向する後カバー部と、前記カメラ本体のレンズ側を覆う前カバー部とを有し、前記カバー本体には、前記カメラ本体とは別に、前記カメラ本体のレンズ側に延びる遮光板が設けられ、前記遮光板は、前記後カバー部側から前記カメラ本体のレンズ側に延びる本体部と、前記本体部に設けられ前記前カバー部に当接する係止部と、前記本体部の前記後カバー部側に設けられた切断可能な長さ調整用切断部とを備えることを特徴とする。【００１１】
請求項２に係る発明は、前記本体部の端部が前記後カバー部に係合することを特徴とする。【００１２】
請求項３及び４に係る発明は、前記本体部が前記前カバー部に形成された孔部を貫通することを特徴とする。【００１３】
請求項５に係る発明は、前記カバー本体に取付け用ブラケットが取り付けられており、前記取付け用ブラケットの内側と前記カバー本体の外側の一方には、周方向に複数の係止凹部が連続して形成されており、前記取付け用ブラケットの内側と前記カバー本体の外側の他方には、係止凸部を設け、前記係止凸部が前記係止凹部に係合することにより前記取付け用ブラケットに対して前記カバー本体の角度を調整可能に構成したことを特徴とする。
【発明の効果】
【００１４】
請求項１の構成によれば、前後方向における遮光板の長さ調整が可能である。【００１５】
請求項２の構成によれば、簡単な構造で遮光板を支持できる。【００１６】
請求項３及び４の構成によれば、遮光板の位置決めを容易にしつつ、コンパクトな形状とすることができる。【００１７】
請求項５の構成によれば、カメラ本体の角度と遮光板の長さの双方を調整可能とすることができる。
【図面の簡単な説明】
【００１８】
【図１】本発明の実施例１を示す縦断面図である。
【図２】同上、斜視図である。
【図３】同上、分解斜視図である。
【図４】同上、前カバー部の正面図である。
【図５】同上、前カバー部の背面図である。
【図６】同上、遮光板と受けリブ部の係合状態を示す背面説明図である。
【図７】同上、遮光板の平面図である。
【図８】同上、切除部を切除した状態の遮光板の平面図である。
【図９】同上、遮光板の後側の拡大平面図である。
【図１０】同上、後側の斜視図である。
【図１１】同上、遮光板の後側と後カバー部のリブ部の係合状態を示す縦断面図である。
【図１２】同上、遮光板の係止部と前カバー部の係合状態を示す斜視図である。
【図１３】同上、後カバー部の背面側の斜視図である。
【図１４】同上、背面側の斜視図である。
【図１５】同上、ブロック図である。
【図１６】本発明の実施例２を示す後カバー部の背面側の斜視図である。
【図１７】同上、遮光板の後側と後カバー部のリブ部の係合状態を示す縦断面図である。
【図１８】本発明の実施例３を示す遮光板の後側と後カバー部のリブ部の係合状態を示す縦断面図である。
【発明を実施するための形態】
【００１９】
以下、図面を参照して、本発明のカメラカバーの実施例について説明する。
【実施例１】
【００２０】
図１〜図１５は本発明の実施例１を示す。同図に示すように、カメラカバー１は、カメラ本体２を収容するカバー本体３と、このカメラ本体２のレンズ４に入る光の一部を遮光する遮光板５と、前記カバー本体３を固定対象物たるリアウインドウ６に取り付ける取付け用ブラケット７とを備え、前記固定対象物は透光性を有する。尚、カバー本体３，遮光板５及び取付け用ブラケット７は合成樹脂などからなる。【００２１】
前記カバー本体３は、前記カメラ本体２のレンズ４側である前側を覆う前カバー部１１と、前記カメラ本体２の前記レンズ４側とは反対側である後側を覆う後カバー部１２を備える。【００２２】
前記カメラ本体２は、左右方向に長いケースの前部中央に円筒形のレンズ筒部４Ａを有し、このレンズ筒部４Ａに前記レンズ４が装着されており、内部に撮像素子などの撮像手段（図示せず）を備える。尚、カメラ本体２は静止画・動画の少なくとも一方を撮像するものである。【００２３】
前記遮光板５は、前後方向に長い本体部１５と、後述するように前記本体部１５の後部である本体後部１６の後側に複数設けた切除部１７，１７・・・と、前記本体後部１６の左右縁から左右外側に突設した係止突起たる係止部１８，１８とを有し、前記遮光板５は幅方向中央が左右縁より僅かに低くなるように湾曲状に形成されている。【００２４】
前記前カバー部１１は、カメラ本体２の前側を覆うフードであって、この前カバー部１１は前面に前板部２１を有し、この前板部２１の中央に開口部２２を有し、前記前板部２１の外縁部の後方に角型の外筒部２３を備え、前記開口部２２に、前側に拡大する内筒部２４を設け、前記前板部２１の前側に前記開口部２２が位置し、前記内筒部２４の奥側（後側）には底板部２５が設けられており、この底板部２５に透孔２６を設け、この透孔２６に前記レンズ筒部４Ａが挿通配置される。そして、前記前板部２１により、カメラ本体２の前側において前記外筒部２３と内筒部２４の間を塞いでいる。【００２５】
図４などに示すように、前記前板部２１の下部には、前記遮光板５の本体部１５を挿通可能な孔部２７が穿設され、この孔部２７は、前記遮光板５の本体部１５が貫通し、この本体部１５に倣って横方向に長い湾曲状に形成されている。【００２６】
この場合、外筒部２３の左，右側板部２３Ｓ，２３Ｓは上から下に向かって間隔が広くなるように形成されており、前板部２１も上から下に向かって左右幅広になるように形成されているから、内筒部２４の内寸法より孔部２７を左右幅広に形成することができ、内筒部２４より幅広な遮光板５を使用できる。【００２７】
前記外筒部２３の後部には鍔状の後板部２８が設けられている。また、図３に示すように、前記カメラ本体２の左右には、取付部３１，３１が左右外側に突設され、これら左右の取付部３１，３１に、固定手段たるタッピングネジ３２を挿通する透孔３１Ｔ，３１Ｔが穿設されている。また、図５に示すように、前カバー部１１の後板部２８の後面左右にボス部３２Ａ，ボス部３２Ａを設けている。【００２８】
そして、前記取付部３１の透孔３１Ｔにタッピングネジ３２を後側から挿通し、このタッピングネジ３２を、前カバー部１１のボス部３２Ａに螺着することにより、前記カメラ本体２が前カバー部１１の後側に固定されると共に、カメラ本体２の前側が前カバー部１１により覆われる。【００２９】
前記後カバー部１２は、ケース状をなし、平板状の上板部３３と、この上板部３３の後縁から後面と下面に連続して形成された湾曲外板部３４とを備え、この湾曲外板部３４の断面形状は円弧状をなし、それら上板部３３と湾曲外板部３４の左右を左，右側板部３５，３５により塞いでいる。【００３０】
そして、図３に示すように、前記前カバー部１１と後カバー部１２は、固定手段たる複数のタッピングネジ３６により組み立てられる。尚、前記前カバー部１１の後板部２８の上下左右の角部には、透孔２８Ｔ，２８Ｔ，２８Ｔ，２８Ｔが穿設されており、これら透孔２８Ｔ，２８Ｔ，２８Ｔ，２８Ｔに対応して、前記後カバー部１２内にボス部３７，３７，３７，３７が形成され、前記透孔２８Ｔに前記タッピングネジ３６を挿通し、このタッピングネジ３６を前記ボス部３７に螺着している。【００３１】
また、前記前カバー部１１と後カバー部１２の突き合せ箇所の左右には、半割筒部４１，４１がそれぞれ左右外側に突設され、前記前カバー部１１と後カバー部１２を組み立てることにより、前カバー部１１と後カバー部１２の半割筒部４１，４１が組み合わされて連結内筒部４２が形成され、この連結内筒部４２に前記ブラケット７が連結される。【００３２】
図７及び図８などに示すように、前記遮光板５は、前記本体部１５に比べて本体後部１６が幅狭に形成され、本体部１５の一部を構成する本体後部１６の後側に、前後方向に並んで複数の切除部１７，１７・・・を有する。隣り合う切除部１７，１７の間には、遮光板５の幅方向（左右方向）に長いスリット状の横開口部５２が設けられていると共に、この横開口部５２の左右両側の幅狭な部分により連結部５３，５３を構成している。尚、切除部１７，１７・・・の数は、横開口部５２の数と同一であり、図７では６つである。【００３３】
前記左右の連結部５３，５３は、切断用の工具等を用いることにより、横開口部５２を設けていない遮光板５の部分に比べて容易に切断可能な長さ調整用切断部であり、横開口部５２を設けていない遮光板５の部分に比べて脆弱である。尚、横開口部５２は本体後部１６の左右幅の１／２以上である。そして、遮光板５を切断する場合、連結部５３を設けた部分は設けていない分の１／２以下の長さを切断するだけで済む。尚、連結部５３は本体後部１６の他の部分と略同一厚さである。また、強度上、連結部５３を設けた部分は設けていない分の１／３以上の長さにすることが好ましい。そして、本体後部１６の連結部５３を設けた部分の左右方向の断面積は、他の部分の断面積の１／３以上、１／２以下である。【００３４】
図７〜図９において、上側が遮光板５の後側、下側が遮光板５の前側であり、前記横開口部５２は、その後内縁部５２Ｕが横方向に直線状に形成され、前記横開口部５２の前内縁部５２Ｍには、左右両側が前側に凹んで左右の凹部５６，５６が形成されると共に、これら左右の凹部５６，５６の間に、後側に凸な凸部５７が形成され、これにより横開口部５２の中央開口部５２Ａに比べて左右両側の左右開口部５２Ｂ，５２Ｂが前後方向幅広に形成されている。そして、前記凸部５７の左右縁部５７Ｆ，５７Ｆは、前側から後側に向かって間隔が狭くなるように前後方向に形成されている。尚、横開口部５２の前内縁部５２Ｍは、中央開口部５２Ａと左右開口部５２Ｂ，５２Ｂの部分も横方向に直線状に形成されている。また、図７に示すように、切除部１７を切除する前の遮光板５の後縁部５４にも、その幅方向中央に前記凸部５７が形成されている。【００３５】
前記遮光板５の本体後部１６の左右縁部には、左右で対をなす前記係止部１８，１８が前後に等間隔で複数設けられ、前記係止部１８は、左右方向外側に突設された横方向の基端部１９と、この基端部１９の先端に設けられた斜め下向きの傾斜部２０とを一体に備える。この傾斜部２０の水平に対する角度は３０〜６０度程度である。尚、前後の係止部１８，１８の間隔は、前後の前記切除部１７，１７の間隔と同一であり、また、前後の切除部１７，１７の間隔は前後の前記横開口部５２，５２の間隔と同一である。前記係止部１８は１つの切除部１７に左右一対ずつ設けられ、係止部１８の前縁部１８Ｍの位置は、前記横開口部５２の凸部５７における前内縁部５２Ｍの位置と略同一か、図９に示すように、僅かに後方に位置する。尚、係止部１８の前縁部１８Ｍの位置は、前記横開口部５２の凹部５６における前内縁部５２Ｍの位置に比べて後側に位置する。前記基端部１９の先端は、前記本体部１５の前側の左右縁部より左右方向中央側に位置する。また、切断前の最後部の切除部１７には、製造時に係止部１８を設ける必要はない。【００３６】
前記遮光板５には、その外面全体にシボ加工が施されている。また、図７及び図８などに示すように、遮光板５の本体部１５の前側の上面には、左右縁側の一定幅の帯状部分５８，５８を除いて、横方向の細い突条部５９が前後方向に間隔を置いて複数形成され、光を拡散するシボ加工と複数の細い突条部５９，５９・・・により、遮光板５の上面における光の上方向への反射を抑制している。【００３７】
このように細い突条部５９，５９・・・は光の反射を抑制する反射抑制部である。また、前記左右の帯状部分５８，５８に対応して、前記孔部２７の上縁の左右には、下側に僅かに凸な下向き凸部２９Ａ，２９Ａを設け、また、前記孔部２７の下縁の中央には、上側に僅かに凸な上向き凸部２９Ｂを設け、それら凸部２９Ａ，２９Ａ，２９Ｂにより孔部２７の左右及び中央が上下幅狭に形成されている。尚、図２に示すように、前記下向き凸部２９Ａは帯状部分５８に摺動する位置にある。また、前記本体部１５を前記孔部２７に挿入する際、前記上向き凸部２９Ｂは前記本体部１５の下面中央に摺動する。【００３８】
図１０及び図１１などに示すように、前記後カバー部１２の前記湾曲外板部３４の内面には、前記遮光板５の後縁部５４に対応して、中央リブ部６１と左右リブ部６２，６２が突設され、これらリブ部６１，６２，６２は、縦方向に形成され、中央リブ部６１は後カバー部１２の左右方向中央に位置する。そして、それらリブ部６１，６２，６２の少なくとも一部は、前記遮光板５の後縁部５４が当接可能な当接受け部である。例えば、左右リブ部６２、６２が後縁部５４に当接し、一方、中央リブ部６１の後縁部６３Ｋには当接せずに、中央リブ部６１の受け溝部６３で後縁部５４を上下から挟むようにしてもよい。【００３９】
前記中央リブ部６１には、その前縁に略コ字形の受け溝部６３が後側に凹んで設けられ、この受け溝部６３は、遮光板５の上下面を挟む横方向の上縁部６３Ｕと下縁部６３Ｓを有すると共に、遮光板５の後縁部５４が当接可能な縦方向の後縁部６３Ｋを有する。そして、受け溝部６３内に前記遮光板５の後縁部５４の凸部５７が係入し、その受け溝部６３により後縁部５４の上下位置が位置決め状態で規制される。このように受け溝部６３は、後縁部５４の上下位置を位置決め状態で規制する規制部である。また、上縁部６３Ｕと下縁部６３Ｓの間隔は後側から前側に向かって広くなるように形成されており、前記凸部５７が入り易くなっている。【００４０】
そして、受け溝部６３が、前記遮光板５の後縁部５４が係合する係合受け部であり、その後縁部５４の上下面を挟む上縁部６３Ｕ及び下縁部６３Ｓが、遮光板５の後縁部５４の上下位置を規制する上規制部及び下規制部であり、後縁部６３Ｋが、遮光板５の後縁部５４の後端位置を規制する前規制部である。【００４１】
図９に示すように、前記左右リブ部６２，６２は、それぞれ遮光板５の後縁部５４の左右の凹部５６，５６に挿入され、且つ、左右リブ部６２，６２の中央側内面６２Ｎ，６２Ｎにより前記凸部５７を挟み、遮光板５の後縁部５４の左右位置が位置決め状態で規制される。このように前記中央側内面６２Ｎ，６２Ｎは、遮光板５の後縁部５４の左右位置を位置決め状態で規制する規制部である。【００４２】
図５、図６及び図１２などに示すように、前記前カバー部１１の後面の下側左右には、後側に向かって、受けリブ部６５，６５が突設され、この受けリブ部６５は前記係止部１８に対応して前記外筒部２３の下側の左右角部位置に設けられている。前記受けリブ部６５の後縁には前記係止部１８の傾斜部２０が係入する受け溝部６６が前側に凹んで設けられ、この受け溝部６６は、傾斜部２０の上下面を挟む横方向の上外縁部６６Ｕと下内縁部６６Ｓを有すると共に、傾斜部２０の後縁部が当接可能な縦方向の前縁部６６Ｍを有する。尚、上外縁部６６Ｕは下内縁部６６Ｓより上部に位置すると共に、左右方向外側に位置する。また、上外縁部６６Ｕと下内縁部６６Ｓの間隔は前側から後側に向かって広くなるように形成されており、前記係止部１８が入り易くなっている。【００４３】
そして、受け溝部６６が、前記係止部１８が係入する係入受け部であり、傾斜部２０の上下面を挟む上外縁部６６Ｕ及び下内縁部６６Ｓが、係止部１８の上下位置を規制する上規制部及び下規制部であり、前縁部６６Ｍが、係止部１８の前端位置を規制する前規制部である。【００４４】
前記ブラケット７は、左右一対のブラケット本体７１，７１を備え、これら一対のブラケット本体７１，７１は、略左右対称に形成され、前記カバー本体３の左右側部を覆うように設けられる。前記ブラケット本体７１は、前記カバー本体３の湾曲外板部３４に外装するブラケット湾曲外板部７２を有し、このブラケット湾曲外板部７２の前側に、平坦で上下方向に長い取付面７３を設け、この取付面７３は前記ブラケット湾曲外板部７２より左右に幅広で、左右外側に出っ張っており、それらブラケット湾曲外板部７２と取付面７３の左右外側に側板部７４を設け、この側板部７４の内面に連結外筒部７５を設け、この連結外筒部７５を中心として前記ブラケット湾曲外板部７２が形成されている。そして、前記取付面７３が両面粘着テープ８０によりリアウインドウ６に接着される。【００４５】
ブラケット７の取付けにおいては、カバー本体３の連結内筒部４２内にナット７６（図３）を回り止め状態で配置し、その連結内筒部４２に連結外筒部７５の内端側を回転可能に外装すると共に、外側から連結外筒部７５と連結内筒部４２にボルト７７を挿通し、このボルト７７を前記ナット７６に螺合することにより、カバー本体３にブラケット７を取り付けることができる。そして、ボルト７７は、取付手段であって、ブラケット７に対するカバー本体３の回転中心軸となる。【００４６】
カバー本体３にブラケット７を取り付ける際、ブラケット７に対してカバー本体３の角度を調整して取り付けることができ、カバー本体３を角度調整可能とするために以下の構成を備える。【００４７】
図２及び図３に示すように、前記ブラケット湾曲外板部７２の内面には、その周方向に係止凹部７８，７８・・・が連続して形成され、この例では、複数の突条部７９，７９・・・を周方向に間隔を置いて形成することにより、隣り合う突条部７９，７９とブラケット湾曲外板部７２の内面との間に前記係止凹部７８が形成されている。【００４８】
また、図１３に示すように、前記カバー本体３の湾曲外板部３４の外周の左右には、段部８１，８１により左右方向中央側より径の小さい径小部８２，８２が形成され、この径小部８２に、外側に向かって突出した左右方向の係止凸部たる突条部８３を設け、前記ブラケット湾曲外板部７２は前記径小部８２に外装され、前記突条部８３が前記係止凹部７８に係止することにより、ブラケット７に対するカバー本体３の角度を設定することができる。尚、図１４に示すように、組立状態で、湾曲外板部３４，７２同士の外周面は略面一となる。【００４９】
前記カバー本体３とブラケット本体７１には、カメラ本体２の角度を調整して設定するための印８５が設けられている。この例では、図１４に示すように、ブラケット湾曲外板部７２の外周に、周方向等間隔に複数の印８５Ａ，８５Ａ・・・を設け、カバー本体３の湾曲外板部３４の外周に、前記印８５Ａに対応して、印８５Ｂを１つ設けており、カメラ本体２へのブラケット７の取付作業時に、印８５Ａ，８５Ｂ同士を合わせることにより、ブラケット７に対してカメラ本体２を所望の角度で取り付けることができる。また、前記印８５Ｂは前記突条部８３の位置に対応して設けられている。尚、前記ボルト７７を締めた後は、通常の使用方法では、ブラケット７に対するカバー本体３の角度を変えることはできない。また、印８５Ａ，８５Ｂは凸部により構成されているが、一方又は両方を凹部により構成しても良いし、印刷などにより構成してもよい。【００５０】
図３に示したように、カメラ本体２には、コネクタ９１によりハーネス９２が接続され、このハーネス９２がカバー本体３を挿通して外部に引き廻されている。前記ハーネス９２は車載の電源９３に接続される。また、自動車などの車両のフロントガラスの上部に設けられたルームミラーなどには、図１５に示すように、液晶などの表示器９４が設けられ、前記ハーネス９２によりカメラ本体２の画像データが前記表示器９４に送られ、その表示器９４において、車両後部の画像が表示される。尚、表示器９４はルームミラーに設けられたものに限らず、車両前部で運転者が視認可能な位置に設けたものであれば、各種のものを用いることができる。【００５１】
次に、前記カバー本体の組立方法と取付方法について説明する。図１に示すように、車両のリアウインドウ６にカメラカバー１と共にカメラ本体２を取り付ける場合、車種毎に異なるリアウインドウ６の傾斜などの条件により、カバー本体３からの遮光板５の突出長さを調整して取り付けることができる。この場合、車種に合った長さにするため、切除する切除部１７の数を変更することにより、遮光板５の長さを１つの切除部１７の長さを単位にして調整することができる。【００５２】
遮光板５を所望の長さにするために切除部１７を切除する際には、係止部１８の前縁部１８Ｍの近傍で、左右両側の連結部５３，５３をカッターなどの工具を用いて切断することにより、切除部１７を切り離す（図８）。また、切除後の遮光板５の後縁部５４に対応する係止部１８を残して他の係止部１８の傾斜部２０を切り落とす。この場合、基端部１９を切断することが好ましく、係止部１８の切断箇所１８Ｋが本体部１５の前側の左右縁部より左右方向内側に位置するように切断する。そして、切断して最後部となった後縁部５４の中央に凸部５７が表れる。尚、図８中、５３Ｋが連結部５３の切断箇所である。【００５３】
また、切除後、遮光板５の凸部５７の後縁部５４とこれに対応する係止部１８の前縁部１８Ｍとの間隔Ｈ（図９）が、カバー本体３を組み立てた後の前記受け溝部６３の後縁部６３Ｋと前記受け溝部６６の前縁部６６Ｍの間隔に対応し、この間隔は前記間隔Ｈと等しいか僅かに広い。尚、遮光板５の後縁部５４に対応する係止部１８より後側の係止部１８は残しておいてもよい。【００５４】
切除部１７を切除し、不要な係止部１８を切断した後、前カバー部１１の後側から孔部２７に遮光板５の前側を挿通し、また、左右の係止部１８，１８を受け溝部６６，６６に挿入し、係止部１８の前縁部１８Ｍを受け溝部６６の前縁部６６Ｍに当接する。こうすると、孔部２７と左右の受け溝部６６，６６の３点で、前カバー部１１に対して遮光板５が仮固定され、この状態で、カメラ本体２を固定した前カバー部１１に、後カバー部１２を取付けると、遮光板５の後縁部５４が、後カバー部１２の内面のリブ部６１，６２，６２に係合し、遮光板５の後縁部５４が位置決めされる。【００５５】
カバー本体３を組み立てた後、カバー本体３にブラケット７を取り付け、この際、ブラケット７に対するカバー本体３の角度を取付条件に合った角度となるように組み立てる。尚、両側のブラケット本体７１，７１を同じ角度に設定する。そして、ブラケット本体７１の取付面７３に両面粘着テープ８０の一面を貼り付け、この両面粘着テープ８０の他面をリアウインドウ６の内面に貼り付けてカメラカバー１をリアウインドウ６の内面側に固定する。【００５６】
このようにして取付けたカメラ本体２にあっては、リアウインドウ６の後方を撮像し、レンズ４とリアウインドウ６の内面との間の下方には、遮光板５が配置されているため、リアウインドウ６の内面にその下からの画像が写り込むことがない。【００５７】
このように本実施例では、請求項１に対応して、カメラ本体２を収納するカバー本体３を備え、カバー本体３が、カメラ本体２のレンズ４の側とは反対側でカメラ本体２と対向する後カバー部１２と、カメラ本体２のレンズ４側を覆う前カバー部１１とを有し、カバー本体３には、カメラ本体２とは別に、カメラ本体２のレンズ４の側に延びる遮光板５が設けられ、遮光板５は、後カバー部１２側からカメラ本体２のレンズ４側に延びる本体部１５と、本体部１５に設けられ前カバー部１１に当接する係止部１８と、本体部１５の後カバー部１２側に設けられた切断可能な長さ調整用切断部たる連結部５３とを備えるから、連結部５３を切断することにより前後方向における遮光板５の長さ調整が可能である。【００５８】
このように本実施例では、請求項２に対応して、本体部１５の端部たる後縁部５４が後カバー部１２のリブ部６１，６２，６２のいずれかに係合するから、簡単な構造で遮光板５の端部を支持できる。【００５９】
このように本実施例では、請求項３及び４に対応して、本体部１５が前カバー部１１に形成された孔部２７を貫通するから、遮光板５の位置決めを容易にしつつ、コンパクトな形状とすることができる。【００６０】
このように本実施例では、請求項５に対応して、カバー本体３の左右に取付け用ブラケット７が取り付けられており、取付け用ブラケット７の内側とカバー本体３の外側の一方である取付け用ブラケット７の内側には、周方向に係止凹部７８が連続して形成されており、取付け用ブラケット７の内側とカバー本体３の外側の他方であるカバー本体３の外側には、係合凸部たる突条部８３を設け、突条部８３が係止凹部７８に係止することにより取付け用ブラケット７に対してカバー本体３の角度を調整可能に構成したから、カメラ本体２の角度と遮光板５の長さの双方を調整可能とすることができる。【００６１】
以下、実施例上の効果として、遮光板５の本体部１５をレンズ４の前側下方に配置したから、固定対象物たるリアウインドウ６などの内面に反射したリアウインドウ６の下方の画像の写り込みを防止することができる。また、遮光板５の幅方向中央に該遮光板５の幅方向の横開口部５２を設け、この横開口部５２の左右外側に残った部分の連結部５３，５３により切断部を構成したから、連結部５３，５３を切断して切除部１７を切除することができる。【００６２】
また、カバー本体３には、カメラ本体２とは別に、カメラ本体２のレンズ４の側に延びる遮光板５が設けられ、遮光板５は、後カバー部１２側からカメラ本体２のレンズ４側に延びる本体部１５と、本体部１５に設けられ前カバー部１１に当接する係止部１８と、本体部１５の後カバー部１２側に設けられ、他の部分より左右幅の短い連結部５３とを備え、前記連結部５３を切断して遮光板５の後側の長さを調整するカメラカバー１の組立方法であるから、遮光板５の長さを簡便に調整することができる。さらに、この取付方法では、遮光板５の長さを調整した後、カバー本体３を組み立て、組み立てたカバー本体３にブラケット７を取り付け、このブラケット７により固定対象物たるリアウインドウ６に角度を調整して取り付けることができる。【００６３】
また、本体部１５の後カバー部１２側に、脆弱部たる連結部５３を切断して切除可能な切除部１７を設け、切除部１７の前側には、中央に幅方向の横開口部５２を設けると共に、横開口部５２の幅方向両側に切断可能な本体部１５の連結部５３，５３を設けたから、連結部５３，５３を切断して前後方向に所定長さを有する切除部１７を簡便に切除することができ、前後方向において遮光板５の長さ調整が容易となる。さらに、この取付方法では、連結部５３，５３の切断を容易にする横開口部５２には、その前内縁部５２Ｍに凹部５６，５６と凸部５７が形成されているから、連結部５３，５３を切断した後、最後部となった凹部５６，５６と凸部５７を左右リブ部６２，６２と中央リブ部６１に係合することができる。【００６４】
また、取付け用ブラケット７の内側には周状に係止凹部７８が連続して形成されており、カバー本体３の外側に向かって形成された係止凸部たる突条部８３が係止凹部７８に係止することにより角度調整が可能である。さらに、遮光板５は幅方向に湾曲状に形成されているから、片持ち状でも強度的に優れたものとなる。また、係止部１８は突起状をなすから、工具などを用いて切断し易い。さらに、中央リブ部６１の受け溝部６３により、後縁部５４の上下位置を位置決め状態で規制することができ、また、左右リブ部６２，６２の挟持部たる中央側内面６２Ｎ，６２Ｎによって前記凸部５７を挟むことにより、遮光板５の後縁部５４を左右位置決め状態で規制することができる。尚、前記凸部５７を挟んだ状態で、凸部５７と内面６２Ｎとの間に隙間があってもよい。また、凸部５７の左右縁部５７Ｆ，５７Ｆは、前側から後側に向かって間隔が狭くなるように形成されており、左右縁部５７Ｆ，５７Ｆによって案内されるため、左右のリブ部６２，６２の間に凸部５７をスムーズに挿入することができる。【００６５】
また、切除部１７を形成するために設けた横開口部５２によって、凸部５７及び凹部５６，５６が得られ、切除部を切除後、最後部となった後縁部５４を、リブ部６１，６２，６２に係合することができる。【００６６】
さらに、左右で対をなす突起状の係止部１８，１８が前後に間隔を置いて複数設けられ、この間隔は切除部１７，１７の間隔に対応するから、遮光板５が所望の長さになるように、切除部１７の数を選択して切除し、切除後の後縁部５４に対応する係止部１８，１８を残して、この係止部１８の前側の係止部１８を切除することにより、最前部の係止部１８の前縁部１８Ｍと後縁部５４の凸部５７の間隔Ｈを、受け溝部６６の前縁部６６Ｍと受け溝部６３の後縁部６３Ｋと間隔に対応した寸法にすることができる。【００６７】
また、後カバー部１２に設けた受けリブ部６５の後縁には、前記係止部１８の傾斜部２０が係入する受け溝部６６が設けられ、この受け溝部６６は前側に凹んでおり、前記受け溝部６６は、傾斜部２０の上下面を挟む横方向の上外縁部６６Ｕと下内縁部６６Ｓを有し、上外縁部６６Ｕと下内縁部６６Ｓの間隔は前側から後側に向かって広くなるように形成されており、前記係止部１８が入り易くなっている。さらに、切除部１７を切除する前の遮光板５の後縁部５４にも、その幅方向中央に前記凸部５７が形成されているから、切除部１７を切除しなくても、使用することができ、この場合が遮光板５の最長の状態となる。【００６８】
さらに、光の反射を抑制する反射抑制部たる細い突条部５９，５９・・・と反射抑制部たるシボ加工とにより、遮光板５の上面における光の反射を抑制することができる。さらに、孔部２７と左右の受け溝部６６，６６の３点で前カバー部１１に対して遮光板５を仮固定することができから、この後のカバー本体３の組立作業を容易に行うことができる。また、カバー本体３の左右がブラケット本体７１，７１に覆われているから、カバー本体３を直接固定対象物に固定した場合に比べて、カバー本体３に接触しても、カバー本体３が回転する虞がない。【００６９】
また、係止部１８の傾斜部２０は、水平に対して３０〜６０度に傾斜しているから、左右の傾斜部２０の先端間の間隔を狭くすることができ、これにより前カバー部１１を小型化することができる。さらに、前記孔部２７の上縁の左右には、下側に僅かに凸な下向き凸部２９Ａ，２９Ａを設け、また、前記孔部２７の下縁の中央には、上側に僅かに凸な上向き凸部２９Ｂを設けたから、凸部２９Ａ，２９Ａ，２９Ｂの３点で遮光板５の本体部１５を安定して支持することができる。また、当接受け部たるリブ部６１，６２，６２は、湾曲外板部３４の内面から前側に突設されてものであるから、遮光板５の後縁部５４が湾曲外板部３４の内面の他の部分に当たることがない。
【実施例２】
【００７０】
図１６〜図１７は本発明の実施例２を示し、上記実施例１と同一部分に同一符号を付し、その詳細な説明を省略して詳述する。【００７１】
この例では、前記カバー本体３の湾曲外板部３４の径小部８２，８２の外面に、その周方向に前記係止凹部７８，７８・・・が連続して形成されている。また、前記ブラケット湾曲外板部７２の内面には、左右方向の係止凸部たる前記突条部８３を設け、前記突条部８３が前記係止凹部７８に係止することにより、ブラケット７に対するカバー本体３の角度を設定することができる。【００７２】
このように本実施例では、上記実施例１と同様な作用・効果を奏する。【００７３】
また、本実施例では、請求項５に対応して、カバー本体３の左右に取付け用ブラケット７が取り付けられており、取付け用ブラケット７の内側とカバー本体３の外側の一方であるカバー本体３の外側には、周方向に複数の係止凹部７８が連続して形成されており、取付け用ブラケット７の内側とカバー本体３の外側の他方である取付け用ブラケット７の内側には、係合凸部たる突条部８３を設け、突条部８３が係止凹部７８に係止することにより取付け用ブラケット７に対してカバー本体３の角度を調整可能に構成したから、カメラ本体２の角度と遮光板５の長さの双方を調整可能とすることができる。
【実施例３】
【００７４】
図１８は本発明の実施例３を示し、上記各実施例と同一部分に同一符号を付し、その詳細な説明を省略して詳述する。【００７５】
この例では、後縁部５４と横開口部５２と間の部材にクッション材９５を巻装し、後縁部５４にクッション材９５を配置した例を示し、このようにクッション材９５を介してリブ部６１，６２に遮光板５の端部たる後縁部５４を当接しており、この場合は、クッション材９５が後カバー部１２に当接する遮光板５の端部となる。【００７６】
尚、本発明は、本実施例に限定されるものではなく、本発明の要旨の範囲内で種々の変形実施が可能である。例えば、実施例では、遮光板をレンズの下側に配置したが、下側に限定されず、遮光板をレンズの上側，左側，右側などに配置してもよく、例えば、上側に配置した遮光板は、特許文献１の庇部に対応する。また、遮光板をレンズの上側，左側，右側，下側のいずれか複数箇所にそれぞれ設けてもよい。さらに、切除部は、横開口部を設けずに、本体後部の上面又は／及び下面に設けた分離用の溝や切れ目を設けることにより構成するなど適宜選定することができる。また、実施例の連結部に分離用の溝や切れ目を入れたり、遮光板の他の部分より薄く形成したりして切除し易くしてもよい。
【符号の説明】
【００７７】
１  カメラカバー
２  カメラ本体
３  カバー本体
４  レンズ
５  遮光板
６  リアウインドウ（固定対象物）
７  取付け用ブラケット
１１  前カバー部
１２  後カバー部
１５  本体部
１８  係止部
２７  孔部
５３  連結部（長さ調整用切断部）
５４  後縁部（端部）
７８  係止凹部
８３  突条部（係止凸部）
【図１】
2019021907.tif 000003
【図２】
2019021907.tif 000004
【図３】
2019021907.tif 000005
【図４】
2019021907.tif 000006
【図５】
2019021907.tif 000007
【図６】
2019021907.tif 000008
【図７】
2019021907.tif 000009
【図８】
2019021907.tif 000010
【図９】
2019021907.tif 000011
【図１０】
2019021907.tif 000012
【図１１】
2019021907.tif 000013
【図１２】
2019021907.tif 000014
【図１３】
2019021907.tif 000015
【図１４】
2019021907.tif 000016
【図１５】
2019021907.tif 000017
【図１６】
2019021907.tif 000018
【図１７】
2019021907.tif 000019
【図１８】
2019021907.tif 000020
【国際調査報告】
2019021907.tif 000021
2019021907.tif 000022
2019021907.tif 000023
2019021907.tif 000024